(57)【要約】【課題】夜間の屋外運動施設において利用者が運動を行う際に潜在的な感性で感じる爽快感や楽しさを十分に高めて、利用者に大きな満足感を与える運動環境を実現することができるようにする。【解決手段】運動施設内に配置された環境センサ３から環境情報を取得する環境情報取得部２１と、運動施設内において利用者が運動を行う運動エリアを照明する第１の照明灯１、および運動施設内において運動エリア外の景観エリアを照明する第２の照明灯２の各々の照明状態およびその制御スケジュールに関する照明制御条件を記憶する照明制御条件記憶部２５と、この照明制御条件記憶部に記憶された第１、第２の照明灯の各々に関する照明制御条件に従って第１、第２の照明灯を制御すると共に、環境情報取得部で取得した環境情報に基づき、第１、第２の照明灯の少なくとも一方の照明灯を制御する照明制御部２６と、を備えたものとする。【選択図】図３
2016146267.tif 000002
【特許請求の範囲】
【請求項１】
屋外の運動施設内に配置された複数の照明灯をネットワークを介して制御して、前記運動施設内に運動に適した環境を構築する運動施設管理装置であって、
前記運動施設内に配置された環境センサから環境情報を取得する環境情報取得部と、
前記運動施設内において利用者が運動を行う運動エリアを照明する第１の照明灯、および前記運動施設内において前記運動エリア外の景観エリアを照明する第２の照明灯の各々の照明状態およびその制御スケジュールに関する照明制御条件を記憶する照明制御条件記憶部と、
この照明制御条件記憶部に記憶された前記第１、第２の照明灯の各々に関する前記照明制御条件に従って前記第１、第２の照明灯を制御すると共に、前記環境情報取得部で取得した前記環境情報に基づき、前記第１、第２の照明灯の少なくとも一方の照明灯を制御する照明制御部と、
を備えたことを特徴とする運動施設管理装置。
【請求項２】
さらに、ユーザ端末での利用者の操作入力に応じて、前記第１の照明灯に関する前記照明制御条件を設定して前記照明制御条件記憶部に記憶させる照明制御条件設定部を備えたことを特徴とする請求項１に記載の運動施設管理装置。
【請求項３】
前記環境情報取得部は、前記環境情報として、照度、色温度、気温、気圧、湿度、天候、風速、および風向のうちの少なくとも１つを取得することを特徴とする請求項１または請求項２に記載の運動施設管理装置。
【請求項４】
前記環境情報取得部は、前記環境情報として、前記景観エリアの照度および色温度を取得し、
前記照明制御部は、前記環境情報取得部により取得した前記照度および色温度に基づき、前記景観エリアに所定の月明かりの夜が再現されるように、前記第２の照明灯の光量および色温度を制御する調光制御および調色制御を行うことを特徴とする請求項３に記載の運動施設管理装置。
【請求項５】
前記照明制御条件は、前記制御スケジュールにより、夜間の照明必要期間に応じた点灯および消灯のタイミングを規定するとともに、前記照明必要期間内の時間帯に応じた照明状態を規定することを特徴とする請求項１から請求項４のいずれかに記載の運動施設管理装置。
【請求項６】
さらに、利用者情報として、利用者の位置、身体状態、および人数のうちの少なくとも１つを取得する利用者情報取得部を備え、
前記照明制御部は、前記利用者情報取得部で取得した前記利用者情報に基づき、前記第１の照明灯を制御することを特徴とする請求項１から請求項５のいずれかに記載の運動施設管理装置。
【請求項７】
さらに、前記運動エリアにおける利用者の位置情報を取得する利用者情報取得部を備え、
前記照明制御部は、前記利用者情報取得部により取得した位置情報に基づき、利用者の運動を支援するための照明を行う第３の照明灯を制御することを特徴とする請求項１から請求項６のいずれかに記載の運動施設管理装置。
【請求項８】
屋外の運動施設内に配置された複数の照明灯をネットワークを介して制御して、前記運動施設内に運動に適した環境を構築する運動施設管理システムであって、
前記運動施設内に配置された環境センサと、
前記運動施設内において利用者が運動を行う運動エリアを照明する第１の照明灯と、
前記運動施設内において前記運動エリア外の景観エリアを照明する第２の照明灯と、
情報処理装置と、
を有し、
前記情報処理装置が、
前記環境センサから環境情報を取得する環境情報取得部と、
前記第１、第２の照明灯の各々の照明状態および制御スケジュールに関する照明制御条件を記憶する照明制御条件記憶部と、
この照明制御条件記憶部に記憶された前記第１、第２の照明灯の各々に関する前記照明制御条件に従って前記第１、第２の照明灯を制御すると共に、前記環境情報取得部で取得した前記環境情報に基づき、前記第１、第２の照明灯の少なくとも一方の照明灯を制御する照明制御部と、
を備えたことを特徴とする運動施設管理システム。
【請求項９】
前記第１、第２の照明灯は、光量および色温度を調整可能な光源と、無線ネットワークを介して、前記照明制御部を備えた前記情報処理装置と通信を行うインターフェースと、を備えたことを特徴とする請求項８に記載の運動施設管理システム。
【請求項１０】
屋外の運動施設内に配置された複数の照明灯をネットワークを介して制御して、前記運動施設内に運動に適した環境を構築する処理を情報処理装置に行わせる運動施設管理方法であって、
前記運動施設内に配置された環境センサから環境情報を取得するステップと、
前記運動施設内において利用者が運動を行う運動エリアを照明する第１の照明灯、および前記運動施設内において前記運動エリア外の景観エリアを照明する第２の照明灯の各々の照明状態および制御スケジュールに関する照明制御条件を読み出すステップと、
このステップで読み出された前記第１、第２の照明灯の各々に関する前記照明制御条件に従って前記第１、第２の照明灯を制御すると共に、前記環境情報取得部で取得した前記環境情報に基づき、前記第１、第２の照明灯の少なくとも一方の照明灯を制御するステップと、
を備えたことを特徴とする運動施設管理方法。
【発明の詳細な説明】
【技術分野】
【０００１】
本発明は、屋外の運動施設内に配置された複数の照明灯をネットワークを介して制御して、運動施設内に運動に適した環境を構築する運動施設管理装置、運動施設管理システムおよび運動施設管理方法に関するものである。
【背景技術】
【０００２】
ランニングを始めとする屋外での運動・フィットネスでは、屋内の運動・フィットネスでは得られない開放感を味わうことができ、これが、運動を継続して行うためのモチベーションを維持することに繋がることから、近年、屋外でのフィットネスの利用者が増加傾向にある。
【０００３】
一方、仕事帰りに手軽に行うことができるなどの利点から、屋外でのフィットネスを夜間に行うことができる屋外運動施設の要望があるが、現状の屋外運動施設は、単に夜間でも利用者に施設を開放しているだけであり、夜間に快適に運動することができる環境が整っているとは言い難く、夜間に快適に運動することができる屋外運動施設が望まれる。
【０００４】
このような要望に対して、屋外運動施設内に設置された照明灯を適切に制御して、夜間に快適に運動することができる環境を構築することが考えられ、この場合、屋外運動施設内の状況に応じてきめ細かい照明制御を行うことが必要になり、これには、照明灯をネットワークを介して遠隔制御する技術を用いるとよい。
【０００５】
このような照明灯の遠隔制御に関する技術として、従来、複数の街路灯の間に形成された無線メッシュネットワークを介して、街路灯と管理装置との間で通信ができるように構成して、管理者が、街路灯に足を運ぶことなく、全ての街路灯の制御やチェックを一箇所で行うことができるようにした技術が知られている（特許文献１参照）。また、ユーザ端末から送信される位置および時刻に関する情報を照明制御装置で受信して、その受信した情報に基づいて制御対象となる照明灯を特定して、その照明灯に対する照明制御をネットワークを介して行うようにした技術が知られている（特許文献２参照）。
【０００６】
また、屋外でのフィットネスを行うことができる屋外運動施設として、種々の運動種目ごとに運動エリアが設けられたスポーツ公園があり、このようなスポーツ公園において各運動エリアで快適な運動環境を構築するには、運動エリアに応じて照明を制御するとよく、このようなエリアに応じて照明を制御する技術に関するものとして、従来、複数の温度センサを配置して、温度が高いエリアでは暖色系の照明を行い、温度が低いエリアでは寒色系の照明を行う技術が知られている（特許文献３参照）。
【先行技術文献】
【特許文献】
【０００７】
【特許文献１】特開２０１２−００４０６２号公報
【特許文献２】特開２０１４−１４９９５３号公報
【特許文献３】特許第５６２４４２９号公報
【発明の概要】
【発明が解決しようとする課題】
【０００８】
さて、屋外でのフィットネスでは、前記のように屋内のフィットネスでは得られない開放感を味わうことができるが、これに加えて、利用者が運動を行う際に潜在的な感性で感じる爽快感や楽しさを高めることができるようにすると、利用者に高い満足感を与えることができ、屋外運動施設の利点を十分に活かすことができる。そこで、照明により空間を演出する効果を利用して、利用者が潜在的な感性で感じる爽快感や楽しさを高めることができるように照明を制御する技術が望まれる。
【０００９】
しかしながら、前記の特許文献１，２に開示された技術は、照明灯の保守などの管理業務の効率化を目的としたものであり、また、前記の特許文献３に開示された技術は、照明の色合いを変えることで、照明によりエリアごとの温度の違いがわかるようにしたものにすぎず、これらの従来技術を屋内運動施設の照明制御にそのまま適用しても、利用者が潜在的な感性で感じる爽快感や楽しさを高めるという要望になんら応えることができず、屋外運動施設の利点を十分に活かすことができないという問題があった。
【００１０】
そこで、本発明は、このような従来技術の問題点を解消するべく案出されたものであり、その主な目的は、夜間の屋外運動施設において利用者が運動を行う際に潜在的な感性で感じる爽快感や楽しさを十分に高めて、利用者に大きな満足感を与える運動環境を実現することができる運動施設管理装置、運動施設管理システムおよび運動施設管理方法を提供することにある。
【課題を解決するための手段】
【００１１】
本発明の運動施設管理装置は、屋外の運動施設内に配置された複数の照明灯をネットワークを介して制御して、前記運動施設内に運動に適した環境を構築する運動施設管理装置であって、前記運動施設内に配置された環境センサから環境情報を取得する環境情報取得部と、前記運動施設内において利用者が運動を行う運動エリアを照明する第１の照明灯、および前記運動施設内において前記運動エリア外の景観エリアを照明する第２の照明灯の各々の照明状態およびその制御スケジュールに関する照明制御条件を記憶する照明制御条件記憶部と、この照明制御条件記憶部に記憶された前記第１、第２の照明灯の各々に関する前記照明制御条件に従って前記第１、第２の照明灯を制御すると共に、前記環境情報取得部で取得した前記環境情報に基づき、前記第１、第２の照明灯の少なくとも一方の照明灯を制御する照明制御部と、を備えた構成とする。
【００１２】
また、本発明の運動施設管理システムは、屋外の運動施設内に配置された複数の照明灯をネットワークを介して制御して、前記運動施設内に運動に適した環境を構築する運動施設管理システムであって、前記運動施設内に配置された環境センサと、前記運動施設内において利用者が運動を行う運動エリアを照明する第１の照明灯と、前記運動施設内において前記運動エリア外の景観エリアを照明する第２の照明灯と、情報処理装置と、を有し、前記情報処理装置が、前記環境センサから環境情報を取得する環境情報取得部と、前記第１、第２の照明灯の各々の照明状態および制御スケジュールに関する照明制御条件を記憶する照明制御条件記憶部と、この照明制御条件記憶部に記憶された前記第１、第２の照明灯の各々に関する前記照明制御条件に従って前記第１、第２の照明灯を制御すると共に、前記環境情報取得部で取得した前記環境情報に基づき、前記第１、第２の照明灯の少なくとも一方の照明灯を制御する照明制御部と、を備えた構成とする。
【００１３】
また、本発明の運動施設管理方法は、屋外の運動施設内に配置された複数の照明灯をネットワークを介して制御して、前記運動施設内に運動に適した環境を構築する処理を情報処理装置に行わせる運動施設管理方法であって、前記運動施設内に配置された環境センサから環境情報を取得するステップと、前記運動施設内において利用者が運動を行う運動エリアを照明する第１の照明灯、および前記運動施設内において前記運動エリア外の景観エリアを照明する第２の照明灯の各々の照明状態および制御スケジュールに関する照明制御条件を読み出すステップと、このステップで読み出された前記第１、第２の照明灯の各々に関する前記照明制御条件に従って前記第１、第２の照明灯を制御すると共に、前記環境情報取得部で取得した前記環境情報に基づき、前記第１、第２の照明灯の少なくとも一方の照明灯を制御するステップと、を備えた構成とする。
【発明の効果】
【００１４】
本発明によれば、利用者が運動を行う運動エリアでは、運動を安全に行うとともに運動種目に適した運動空間が得られるように照明を制御し、また、利用者が自然景観を味わう景観エリアでは、樹木や池などによる自然景観が映える演出効果が得られるように照明を制御することで、夜間の屋外運動施設において利用者が運動を行う際に潜在的な感性で感じる爽快感や楽しさを十分に高めて、利用者に大きな満足感を与える運動環境を実現することができる。
【図面の簡単な説明】
【００１５】
【図１】本実施形態に係る運動施設管理システムの全体構成図
【図２】スポーツ公園の一例を示す平面図
【図３】クラウドコンピュータ４の概略構成を示す機能ブロック図
【図４】ユーザ端末５や管理者端末６に表示される管理画面を示す説明図
【図５】ユーザ端末５や管理者端末６に表示されるプロファイル登録編集画面を示す説明図
【図６】ユーザ端末５や管理者端末６に表示される制御スケジュール確認画面を示す説明図
【図７】照明制御部２６で行われる処理の手順を示すフロー図
【発明を実施するための形態】
【００１６】
前記課題を解決するためになされた第１の発明は、屋外の運動施設内に配置された複数の照明灯をネットワークを介して制御して、前記運動施設内に運動に適した環境を構築する運動施設管理装置であって、前記運動施設内に配置された環境センサから環境情報を取得する環境情報取得部と、前記運動施設内において利用者が運動を行う運動エリアを照明する第１の照明灯、および前記運動施設内において前記運動エリア外の景観エリアを照明する第２の照明灯の各々の照明状態およびその制御スケジュールに関する照明制御条件を記憶する照明制御条件記憶部と、この照明制御条件記憶部に記憶された前記第１、第２の照明灯の各々に関する前記照明制御条件に従って前記第１、第２の照明灯を制御すると共に、前記環境情報取得部で取得した前記環境情報に基づき、前記第１、第２の照明灯の少なくとも一方の照明灯を制御する照明制御部と、を備えた構成とする。
【００１７】
これによると、利用者が運動を行う運動エリアでは、運動を安全に行うとともに運動種目に適した運動空間が得られるように照明を制御し、また、利用者が自然景観を味わう景観エリアでは、樹木や池などによる自然景観が映える演出効果が得られるように照明を制御することで、夜間の屋外運動施設において利用者が運動を行う際に潜在的な感性で感じる爽快感や楽しさを十分に高めて、利用者に大きな満足感を与える運動環境を実現することができる。
【００１８】
また、第２の発明は、さらに、ユーザ端末での利用者の操作入力に応じて、前記第１の照明灯に関する前記照明制御条件を設定して前記照明制御条件記憶部に記憶させる照明制御条件設定部を備えた構成とする。
【００１９】
これによると、第１の照明灯の照明状態および制御スケジュールを、利用者、特に各運動種目の指導者が任意に設定することができるため、運動エリアに利用者の好みに応じた運動空間を形成することができる。
【００２０】
また、第３の発明は、前記環境情報取得部は、前記環境情報として、照度、色温度、気温、気圧、湿度、天候、風速、および風向のうちの少なくとも１つを取得する構成とする。
【００２１】
これによると、照度、色温度、気温、気圧、湿度、天候、風速、および風向に基づいて照明制御が行われるため、より一層快適な運動環境を実現することができる。
【００２２】
また、第４の発明は、前記環境情報取得部は、前記環境情報として、前記景観エリアの照度および色温度を取得し、前記照明制御部は、前記環境情報取得部により取得した前記照度および色温度に基づき、前記景観エリアに所定の月明かりの夜が再現されるように、前記第２の照明灯の光量および色温度を制御する調光制御および調色制御を行う構成とする。
【００２３】
これによると、月齢や天候に関係なく、景観エリアに所定の月明かりの夜が再現されるため、利用者が景観エリアを見ることで感じる爽快感をより一層高めることができる。
【００２４】
また、第５の発明は、前記照明制御条件は、前記制御スケジュールにより、夜間の照明必要期間に応じた点灯および消灯のタイミングを規定するとともに、前記照明必要期間内の時間帯に応じた照明状態を規定する構成とする。
【００２５】
これによると、適切なタイミングで照明灯を点灯・消灯させることができ、さらに、時間帯に応じて照明状態を変化させることができるため、より一層適切な運動環境を実現することができる。
【００２６】
また、第６の発明は、さらに、利用者情報として、利用者の位置、身体状態、および人数のうちの少なくとも１つを取得する利用者情報取得部を備え、前記照明制御部は、前記利用者情報取得部で取得した前記利用者情報に基づき、前記第１の照明灯を制御する構成とする。
【００２７】
これによると、利用者が運動を行う運動エリアにおいて、利用者の位置、身体状態、および人数に関する利用者情報に基づいて制御が行われるため、より一層快適な運動環境を実現することができる。
【００２８】
また、第７の発明は、さらに、前記運動エリアにおける利用者の位置情報を取得する利用者情報取得部を備え、前記照明制御部は、前記利用者情報取得部により取得した位置情報に基づき、利用者の運動を支援するための照明を行う第３の照明灯を制御する構成とする。
【００２９】
これによると、利用者の運動を支援することができるため、利用者の利便性を高めることができる。なお、運動を安全に行うための第１の照明灯１を、運動を支援するための第３の照明灯と兼用するようにしてもよい。
【００３０】
また、第８の発明は、屋外の運動施設内に配置された複数の照明灯をネットワークを介して制御して、前記運動施設内に運動に適した環境を構築する運動施設管理システムであって、前記運動施設内に配置された環境センサと、前記運動施設内において利用者が運動を行う運動エリアを照明する第１の照明灯と、前記運動施設内において前記運動エリア外の景観エリアを照明する第２の照明灯と、情報処理装置と、を有し、前記情報処理装置が、前記環境センサから環境情報を取得する環境情報取得部と、前記第１、第２の照明灯の各々の照明状態および制御スケジュールに関する照明制御条件を記憶する照明制御条件記憶部と、この照明制御条件記憶部に記憶された前記第１、第２の照明灯の各々に関する前記照明制御条件に従って前記第１、第２の照明灯を制御すると共に、前記環境情報取得部で取得した前記環境情報に基づき、前記第１、第２の照明灯の少なくとも一方の照明灯を制御する照明制御部と、を備えた構成とする。
【００３１】
これによると、第１の発明と同様に、夜間の屋外運動施設において利用者が運動を行う際に潜在的な感性で感じる爽快感や楽しさを十分に高めて、利用者に大きな満足感を与える運動環境を実現することができる。
【００３２】
また、第９の発明は、前記第１、第２の照明灯は、光量および色温度を調整可能な光源と、無線ネットワークを介して、前記照明制御部を備えた前記情報処理装置と通信を行うインターフェースと、を備えた構成とする。
【００３３】
これによると、第１、第２の照明灯が、光量および色温度を調整可能な光源を備えているため、運動エリアおよび景観エリアの照度および色温度を適切に調整して、より一層適切な運動環境を実現することができる。また、第１、第２の照明灯が、無線ネットワークを介して通信を行うインターフェースを備えているため、通信線の設置が不要となり、設置コストを削減することができる。
【００３４】
また、第１０の発明は、屋外の運動施設内に配置された複数の照明灯をネットワークを介して制御して、前記運動施設内に運動に適した環境を構築する処理を情報処理装置に行わせる運動施設管理方法であって、前記運動施設内に配置された環境センサから環境情報を取得するステップと、前記運動施設内において利用者が運動を行う運動エリアを照明する第１の照明灯、および前記運動施設内において前記運動エリア外の景観エリアを照明する第２の照明灯の各々の照明状態および制御スケジュールに関する照明制御条件を読み出すステップと、このステップで読み出された前記第１、第２の照明灯の各々に関する前記照明制御条件に従って前記第１、第２の照明灯を制御すると共に、前記環境情報取得部で取得した前記環境情報に基づき、前記第１、第２の照明灯の少なくとも一方の照明灯を制御するステップと、を備えた構成とする。
【００３５】
これによると、第１の発明と同様に、夜間の屋外運動施設において利用者が運動を行う際に潜在的な感性で感じる爽快感や楽しさを十分に高めて、利用者に大きな満足感を与える運動環境を実現することができる。
【００３６】
以下、本発明の実施の形態を、図面を参照しながら説明する。
【００３７】
図１は、本実施形態に係る運動施設管理システムの全体構成図である。この運動施設管理システムは、スポーツ公園（屋外運動施設）内に配置された複数の照明灯１，２を制御して、スポーツ公園内に運動に適した環境を構築するものであり、複数の照明灯１，２と、複数の環境センサ３と、クラウドコンピュータ（運動施設管理装置）４と、複数のユーザ端末５と、管理者端末６と、複数のウェアラブル端末７と、を備えている。
【００３８】
照明灯１，２は、光量および色温度を調整可能なＬＥＤからなる光源を備えている。環境センサ３は、環境情報として、照度、色温度、気温、気圧、湿度、天候、風速、および風向などを計測するものである。この照明灯１，２および環境センサは、各スポーツ公園内の適所に配置されており、太陽電池や電力線により給電されるとともに、ＷｉＦｉ（登録商標）などの無線ＬＡＮにより公園内ネットワーク（ＬＡＮ）に接続され、さらに、広域ネットワーク（ＷＡＮ）を介してクラウドコンピュータ４に接続されている。
【００３９】
なお、照明灯１，２および環境センサ３は、電力線を通信回線として利用する電力線通信、いわゆるＰＬＣ（Power Line Communication）により公園内ネットワークに接続されるようにしてもよい。
【００４０】
ユーザ端末５は、ＰＣ、タブレット端末、およびスマートフォンなどからなり、各運動種目の運動指導者（インストラクター）が操作するものであり、公園内ネットワークおよび広域ネットワークを介してクラウドコンピュータ４に接続されており、スポーツ公園内、あるいは自宅などのスポーツ公園外の適宜な場所でクラウドコンピュータにアクセスすることができる。このユーザ端末５では、クラウドコンピュータ４にアクセスして、ユーザ認証を経た後、施設利用の予約や、照明灯１，２の制御に係る設定などの操作を行うことができる。
【００４１】
管理者端末６は、ＰＣなどからなり、施設管理者が操作するものであり、管理センターに設置され、広域ネットワークを介してクラウドコンピュータ４に接続されている。この管理者端末６では、クラウドコンピュータ４にアクセスして、管理者権限があるユーザ認証を経た後、会員管理、施設利用の予約状況の確認などの操作を行うことができる。なお、管理者端末６を、公園の管理事務所に設置するようにしてもよい。
【００４２】
ウェアラブル端末７は、利用者の腕などの身体に着用するものであり、公園内ネットワークを介してクラウドコンピュータ４に接続されており、利用者の位置情報や、利用者の身体状態（心拍数や血圧など）に関する情報をクラウドコンピュータ４に送信する。
【００４３】
クラウドコンピュータ４は、クラウドコンピューティングシステムを構成するものであり、照明灯１，２、環境センサ３、ユーザ端末５、管理者端末６、およびウェアラブル端末７と広域ネットワークを介して接続されており、各スポーツ公園に配置された環境センサ３から環境情報を収集し、また、各スポーツ公園内で運動を行う利用者が着用するウェアラブル端末７から利用者の位置や身体状態に関する情報を収集し、また、ユーザ端末５や管理者端末６から操作入力情報を取得し、これらの情報に基づいて、各スポーツ公園に配置された照明灯１，２を制御する。
【００４４】
次に、図１に示したスポーツ公園について説明する。図２は、スポーツ公園の一例を示す平面図であり、図２（Ａ）にスポーツ公園全体のレイアウトを示し、図２（Ｂ）にランニングコースの要部を示す。
【００４５】
図２（Ａ）に示すように、スポーツ公園には、ランニング、ヨガ、ボルダリング、太極拳、エアロビクス、スケートボード、アスレチック、ウォーキング、自転車、および散歩などの運動種目ごとに利用者が運動を行う運動エリアが設けられている。なお、運動エリアは、特定の運動種目に限定して使用されるものの他、特定の運動種目に限定せずに、各運動種目の運動指導者（インストラクター）が運動エリアを指定して予約することで、特定の運動種目の運動エリアとして使用されるものもある。
【００４６】
また、スポーツ公園には、運動エリア外で自然景観の構成物が配置された景観エリアが設けられている。この景観エリアには、自然景観の構成物として、樹木、池、小川、花壇などが設けられており、各運動エリアで運動を行う利用者が景観エリアを見ることで自然景観を楽しむことができる。
【００４７】
また、スポーツ公園には、運動エリアおよび景観エリアの他に、コミュニティスペース、トイレ、および更衣室などが設けられている。
【００４８】
また、スポーツ公園内の適所には照明灯１，２が配置されている。図１に示したように、運動エリアを照明する第１の照明灯１は、第１の照明灯群を構成し、景観エリアを照明する第２の照明灯２は、第２の照明灯群を構成する。照明灯１，２には、広い範囲を照らすもの、利用者の足下を照らすもの、樹木などをライトアップするものなど、高さや配光特性などが異なる種々の形態（ポール型や地中埋込型など）のものを用いることができる。
【００４９】
例えば、ヨガエリア（ヨガの運動エリア）Ａ１には、第１の照明灯１が設置されている。この第１の照明灯１では、ヨガを安全に行うとともに、ヨガに適した空間を形成する、例えば、ヨガエリアＡ１の芝生や周辺の樹木の緑と一体となって人間の感性に働きかける照明制御が行われ、これにより、気持ちを落ち着かせる雰囲気を形成して、ヨガの健康効果を高めることができる。
【００５０】
また、ヨガエリアＡ１では、運動指導者（インストラクター）がユーザ端末５を操作することで、第１の照明灯１の照明状態（光量や色温度など）を自由に設定することができる。なお、他の運動エリアでも同様に、運動エリアを運動指導者が貸し切りで利用する場合に、その運動エリアを照明する第１の照明灯１の照明状態を運動指導者が自由に設定することができる。
【００５１】
ランニングコース（ランニングの運動エリア）Ａ２にも、第１の照明灯１が設置されている。この第１の照明灯１では、ランニングを安全に行うとともに、ランニングに適した空間を形成する、例えば気分を高揚させる雰囲気を形成するように照明制御が行われる。
【００５２】
また、ランニングコースＡ２には、図２（Ｂ）に示すように、地中埋込型の走行ガイド灯（第３の照明灯）８が一定の間隔で複数設置されている。この走行ガイド灯８は、ランナー（利用者）が自分で設定した走行ペース（速度）でランニングを行うことができるようにランナーを案内・誘導するものであり、走行ガイド灯８が発するガイド光の点灯によりランナーに走行位置を通知し、このガイド光の点灯位置が予め設定された走行ペースで移動するように制御が行われ、この走行ガイド灯８が発するガイド光に追随するようにランナーが走ることで、ランナーが自分で設定した走行ペースで一定してランニングを行うことができる。
【００５３】
景観エリアでは、樹木、池、小川、花壇などによる自然景観が映える演出効果が得られるように第２の照明灯２を制御する照明制御が行われる。特に本実施形態では、満月の月明かりに照らし出された自然景観が爽快感を高めることに着目して、景観エリアに満月の夜が再現されるように照明制御が行われる。また、気温や湿度が高いと、涼しい雰囲気を形成するために寒色系の照明光とし、気温や湿度が低いと、暖かい雰囲気を形成するために暖色系の照明光とする照明制御を行うこともできる。また、樹木や芝生の緑が印象的に感じられるように暖色系の照明光とする照明制御を行うこともできる。
【００５４】
次に、図１に示したクラウドコンピュータ４の概略構成について説明する。図３は、クラウドコンピュータ４の概略構成を示す機能ブロック図である。
【００５５】
クラウドコンピュータ４は、環境情報取得部２１と、利用者情報取得部２２と、入出力制御部２３と、照明制御条件設定部２４と、照明制御条件記憶部２５と、照明制御部２６と、を備えている。
【００５６】
環境情報取得部２１では、環境センサ３から環境情報を取得する。本実施形態では、環境情報として、運動エリアおよび景観エリアの照度および色温度、ならびにスポーツ公園内の気象環境の状態、具体的には、気温、気圧、湿度、天候、風速、および風向を検出する環境センサ３がスポーツ公園内の適所に配置されており、これらの環境センサ３から環境情報を取得する。
【００５７】
利用者情報取得部２２では、利用者情報として、利用者の位置、身体状態（心拍数や血圧など）、および人数に関する情報をウェアラブル端末７から取得する。なお、利用者の人数に関する情報は、入退場ゲートに設けられた図示しない入退場検出装置から取得するようにしてもよい。
【００５８】
入出力制御部２３では、種々の画面に関する表示情報を生成して、管理者端末６およびユーザ端末５に画面を表示させる処理を行うとともに、管理者端末６およびユーザ端末５での操作者の入力操作による入力情報を取得する処理が行われる。この入出力制御部２３は、管理者端末６およびユーザ端末５で起動させたウェブブラウザとの間で情報をやり取りするウェブサーバとして構成すればよい。また、管理者端末６およびユーザ端末５に専用のアプリケーションソフトウェアを導入して、そのアプリケーションソフトウェアとの間で情報をやり取りする構成としてもよい。
【００５９】
特に本実施形態では、クラウドコンピュータ４で行われる照明制御に用いられる照明制御条件を、管理者端末６やユーザ端末５を用いて施設管理者や運動指導者に入力させるために、管理画面（図４参照）、プロファイル登録編集画面（図５参照）、および制御スケジュール確認画面（図６参照）などが管理者端末６およびユーザ端末５に表示出力される。
【００６０】
照明制御条件記憶部２５には、照明灯１，２の各々の照明状態およびその制御スケジュールに関する照明制御条件が記憶される。この照明制御条件では、制御スケジュールにより、夜間の照明必要期間に応じた点灯および消灯のタイミングを規定されるとともに、照明必要期間内の時間帯に応じた照明灯１，２の照明状態が規定される。また、照明状態は、光量および色温度などに関する種々の制御パラメータにより規定される。
【００６１】
照明制御条件設定部２４では、ユーザ端末５や管理者端末６での運動指導者（インストラクター）や施設管理者の操作入力に応じて、照明灯１，２に関する照明制御条件を設定して照明制御条件記憶部２５に記憶させる処理が行われる。すなわち、照明制御条件は、運動指導者や施設管理者が、ユーザ端末５や管理者端末６を用いて適宜に設定することができ、特に、運動指導者は、自分が利用する運動エリアの照明制御条件を設定することができ、施設管理者は、全ての運動エリアおよび景観エリアの照明制御条件を設定することができる。
【００６２】
また、本実施形態では、各運動指導者が過去に入力した設定事項ごとの設定内容を、１つのプロファイルとして適宜に登録することができ、このプロファイルに関する情報が、照明制御条件として照明制御条件記憶部２５に記憶される。そして、運動指導者が自分が指導するレッスンを日時を指定して予約する際に、所要のプロファイルを選択することで、そのプロファイルに対応する設定事項ごとの設定内容で、指定した日時のレッスンの照明制御条件を一括設定する処理が照明制御条件設定部２４において行われる。これにより、運動指導者が自分が登録したプロファイルを選択することで、自分が指導するレッスンの照明制御条件を簡単に設定することができる。また、１人の運動指導者が設定した設定内容を複数の運動指導者間で共有することができるようになり、各運動指導者のプロファイルを他の運動指導者が自由に利用して、各自のレッスンでの照明状態を簡単に設定することができる。
【００６３】
照明制御部２６では、照明制御条件記憶部２５に記憶された照明灯１，２の各々に関する照明制御条件、環境情報取得部２１で取得した環境情報、および利用者情報取得部２２で取得した利用者情報に基づき、照明灯１，２を制御する照明制御が行われる。照明制御条件では、制御スケジュールにより、夜間の照明必要期間に応じた点灯および消灯のタイミングが規定されるとともに、時間帯に応じた照明状態が規定されており、照明制御では、制御スケジュールにしたがって照明灯１，２を制御するスケジュール制御が行われる。
【００６４】
また、照明制御部２６では、照明灯１，２の光量を調整する調光制御と、照明灯１，２の色温度を調整する調色制御と、が行われる。夜間の運動エリアおよび景観エリアでは、月齢、天候、および外光（公園外の建物などの照明によるもの）などに応じて照度や色温度が変化するため、環境センサ３により運動エリアおよび景観エリアの照度および色温度（環境情報）を検出して、運動エリアおよび景観エリアの照度および色温度を調整する調光制御および調色制御が行われる。なお、調光制御では、１つの照明灯１，２の光量を調整する他、一部の照明灯１，２を消灯する間引き照明も行われる。
【００６５】
また、照明制御部２６では、環境センサ３により検出される環境情報として、照度および色温度以外の環境情報、具体的には、気温、気圧、湿度、天候、風速、および風向に基づく照明制御も行われる。この場合、照明制御条件が環境情報に対応付けて設定され、環境センサ３により検出される環境情報に対応する照明制御条件に基づいて照明制御が行われる。
【００６６】
特に、運動エリアでは、運動種目ごとに運動を安全に行う上で必要な明るさを確保するために第１の照明灯１の光量を調整する調光制御が行われる。この調光制御では、環境センサ３により運動エリアの照度を検出して、運動エリアで運動を安全に行うことが可能な所要の照度が得られるように、第１の照明灯１の光量を調整する。運動エリアにおける適切な照度は、運動エリアで行われる運動種目に応じて異なり、例えば、ランニングコースやボルダリングエリアでは比較的明るくするとよく、一方、ヨガエリアでは比較的暗くするとよい。
【００６７】
また、運動エリアでは、運動種目に適した空間を形成するために第１の照明灯１の色温度を調整する調色制御が行われる。この調色制御では、環境センサ３により運動エリアの色温度を検出して、運動種目に適した色温度の空間が得られるように、第１の照明灯１の色温度を調整する。運動エリアにおける適切な色温度は、運動種目に応じて異なり、例えば、ヨガエリアでは、気持ちを落ち着かせる雰囲気を形成するために、色温度を高くして寒色系の照明光とするとよい。一方、ランニングコースでは、気分を高揚させる雰囲気を形成するために、色温度を低くして暖色系の照明光とするとよい。
【００６８】
なお、前記の運動エリアを対象とした照明制御は、予め設定された照明制御条件に基づいて行われるが、前記のように、運動エリアの照明制御条件を、運動エリアを利用する運動指導者（インストラクター）が自由に設定することもできる。また、各運動指導者が設定した照明制御条件は、運動指導者ごとのプロファイルとして登録することができ、各運動指導者が、別の運動指導者のプロファイルを選択することで、その別の運動指導者が設定した照明制御条件をそのまま利用することができ、複数の運動指導者間で照明制御条件を共有することができる。
【００６９】
景観エリアでは、運動エリアと同様に、調色制御および調光制御が行われるが、特に、景観エリアでは、樹木、池、小川、花壇などによる自然景観が映える演出効果が得られる照明制御が行われる。
【００７０】
特に、本実施形態では、景観エリアに満月の夜を再現する満月制御が行われる。具体的には、環境センサ３により計測される景観エリアの照度および色温度が満月の夜と同じ状態となるように、第２の照明灯２の光量および色温度を調整する調色制御および調光制御が行われる。これにより、月齢や天候に関係なく、景観エリアに満月の夜を再現され、景観エリアを見る利用者に爽快感を与えることができる。
【００７１】
また、照明制御部２６では、利用者情報取得部２２で取得した利用者情報、すなわち利用者の位置、身体状態、および人数に関する情報に基づいて第１の照明灯１を制御する照明制御が行われる。ここで、利用者の位置情報に基づく照明制御としては、例えば、利用者の安全性および省エネルギーを図るために、利用者の近くを重点的に照らす照明制御が行われる。また、利用者の身体状態に基づく照明制御としては、例えば、具合の悪い利用者がいる場合に、事故を未然に防ぐとともに救護が迅速に行われるように、運動エリアの照度を高くする照明制御が行われる。また、利用者の人数に基づく照明制御としては、例えば、運動エリアの利用者の人数が多い場合に、事故を未然に防ぐために、運動エリアの照度を高くする照明制御が行われる。
【００７２】
また、照明制御部２６では、利用者の運動を支援する制御として、ランニングコースに沿って設置された走行ガイド灯８（図２（Ｂ）参照）を制御して、ランナーが自分で設定した走行ペース（速度）でランニングを行うことができるようにランナーを案内する走行ガイド制御が行われる。
【００７３】
本実施形態では、ウェアラブル端末７が位置情報取得機能を備えており、利用者情報取得部２２において、ランニングコース上のランナーの位置情報をウェアラブル端末７から取得する。また、ウェアラブル端末７やユーザ端末５で、ランナーが自分の好みの走行ペースを設定する。そして、照明制御部２６において、ランナーの位置情報および走行ペースに関する設定情報に基づいて走行ガイド灯８を制御する。
【００７４】
また、本実施形態では、ランニングコースの勾配に関する情報が照明制御条件記憶部２５に記憶されており、走行ガイド制御では、ランニングコースの勾配に応じて走行ペースを調整する制御が行われる。これにより、ランナーの運動負荷を適正な範囲に維持しつつ略一定の走行ペースでランニングを行うことができる。
【００７５】
なお、ランニングコースでは、同時に複数のランナーがランニングを行うことから、走行ガイド灯８が発するガイド光をランナー同士で混同される場合があるため、自分を対象としたガイド光を識別することができるように、ランナーに応じてガイド光の色を変えるようにしてもよい。また、ランニングを支援するための走行ガイド灯８（第３の照明灯）を、ランニングを安全に行うための第１の照明灯１と兼用することもできる。
【００７６】
なお、ウェアラブル端末７で位置情報を取得するにあたっては、ＷｉＦｉの位置情報取得機能、すなわち複数のＷｉＦｉアクセスポイントごとの電波強度に基づいて位置情報を取得する機能を用いればよい。また、スポーツ公園内に専用の発信機を複数配置して、その発信機の電波強度に基づいて位置情報を取得する手法を用いるようにしてもよい。また、スポーツ公園内にランナーを撮影するカメラを設置して、このカメラの映像から抽出されるランナーの顔画像から人物認識によりランナーを識別して、ランナーの位置情報を取得するようにしてもよい。この処理はクラウドコンピュータ４で行うようにすればよいが、カメラの映像を処理するための専用の映像処理装置を設けるようにしてもよい。
【００７７】
次に、図１に示したクラウドコンピュータ４で行われる照明制御に用いられる照明制御条件を、ユーザ端末５や管理者端末６を用いて入力する操作について説明する。図４は、ユーザ端末５や管理者端末６に表示される管理画面を示す説明図である。
【００７８】
本実施形態では、クラウドコンピュータ４において行われる照明制御に用いられる照明制御条件を、運動指導者や施設管理者がユーザ端末５や管理者端末６を用いて入力するため、図４に示す管理画面がユーザ端末５や管理者端末６に表示される。この管理画面では、運動エリアおよび景観エリアの照明状態および制御スケジュールに関する各種の設定事項について入力操作が行われ、この管理画面で入力された内容に基づいて照明制御条件を設定する処理が照明制御条件設定部２４において行われ、その照明制御条件に関する情報が照明制御条件記憶部２５に記憶される。
【００７９】
管理画面には、施設選択部３１と、メニュー選択部３２と、設定項目別入力部３３と、が設けられている。
【００８０】
施設選択部３１では、対象とする施設を運動指導者や施設管理者が選択する。メニュー選択部３２では、運動指導者や施設管理者が設定項目を選択する。図４に示す例では、スポーツ会員管理、施設予約・申込み、イベント管理、コミュニティ管理、および照明統合制御などの設定項目が設けられており、照明統合制御を選択すると、図４に示すように、設定項目別入力部３３に、照明制御に関する設定事項ごとの入力部が表示される。
【００８１】
設定項目別入力部３３には、日時表示部３５と、日時設定のボタン３６と、第１の照明制御条件入力部３７と、第２の照明制御条件入力部３８と、が設けられている。
【００８２】
日時表示部３５には、照明制御の対象となる日付および時間帯（照明制御期間）が表示される。日時設定のボタン３６は、運動指導者や施設管理者が日付および時間帯を設定するものであり、この日時設定のボタン３６を操作すると、図示しない日時選択画面が表示され、この日時選択画面で日付および時間帯を選択すると、選択された日付および時間帯が日時表示部３５に表示される。
【００８３】
第１の照明制御条件入力部３７は、運動エリアを照明する第１の照明灯１の制御に係る照明制御条件を入力するものであり、運動種目選択部４１と、設定モード選択部４２と、プロファイル選択部４３と、が設けられている。
【００８４】
運動種目選択部４１では、運動エリアごとに実施する運動種目（ランニング、ヨガ、およびボルダリングなど）を選択する。
【００８５】
設定モード選択部４２では、基本、プロファイル、およびオプション照明のいずれかの設定モードを選択する。基本の設定モードでは、安心および安全に主眼をおいた内容で照明制御条件が設定されて照明制御が行われる。プロファイルの設定モードでは、運動指導者が登録したプロファイルに基づく内容で照明制御条件が設定されて照明制御が行われる。オプション照明の設定モードでは、ランニングコースに設置された走行ガイド灯８の照明制御などの付加的な照明制御に関して照明制御条件が設定されて照明制御が行われる。このオプション照明の設定モードを選択すると、図示しないオプション照明設定画面が表示され、オプション照明に関する設定事項について入力操作を行うことができる。
【００８６】
プロファイル選択部４３では、プロファイル名（図４に示す例では、登録した運動指導者の名称）が表示され、プロファイル名を選択することで、選択されたプロファイルの設定内容に基づく照明制御が行われる。また、プロファイル選択部４３には、登録編集のボタン４４が設けられている。この登録編集のボタン４４を操作すると、プロファイル登録編集画面（図５参照）が表示され、このプロファイル登録編集画面でプロファイルを新規に登録し、また、登録内容を編集することができる。また、プロファイル選択部４３では、人気のあるプロファイルを表すアイコン４５が表示される。
【００８７】
なお、クラウドコンピュータ４では、プロファイルの採用実績（過去にプロファイルが採用された回数）や、プロファイルを採用したレッスンに参加した人数などに基づいて人気のあるプロファイルを決定する処理が行われる。
【００８８】
第２の照明制御条件入力部３８は、景観エリアを照明する第２の照明灯２の制御に係る照明制御条件を入力するものであり、制御タイプ選択部４６と、環境情報選択部４７と、が設けられている。
【００８９】
制御タイプ選択部４６では、変動および固定のいずれかの制御タイプを選択する。変動の制御タイプでは、環境センサ３により取得した環境情報に基づいて照明制御が行われる。固定の制御タイプのうち、省エネルギーの制御タイプでは、省エネルギーに主眼をおいて予め設定された照明制御条件に基づいて照明制御が行われる。また、満月の制御タイプでは、景観エリアに満月の夜を再現する満月制御が行われる。なお、満月に限定せずに、景観エリアに所定の月明かりの夜を再現する制御を行うこともできる。
【００９０】
環境情報選択部４７では、変動の制御タイプにおいて照明制御に利用される環境情報（明るさ、温度、および湿度など）を選択する。そして、第１の照明制御条件入力部３７と第２の照明制御条件入力部３８での選択を終え、決定ボタン４８を操作すると新たな照明制御スケジュールとして設定される。もし、選択内容を取り消したい場合には、キャンセルボタン４９を操作することで、すべての選択状態がクリアされ、始めからやり直すことができる。
【００９１】
なお、本実施形態では、景観エリアの照明制御について、その照明制御に利用される環境情報を運動指導者や施設管理者が選択することができるようにしたが、景観エリアと同様に、運動エリアの照明制御についても環境情報を運動指導者や施設管理者が選択することができるようにしてもよい。
【００９２】
次に、プロファイルの登録および編集の操作について説明する。図５は、ユーザ端末５や管理者端末６に表示されるプロファイル登録編集画面を示す説明図である。
【００９３】
管理画面（図４参照）の登録編集のボタン４４を操作すると、図５に示すプロファイル登録編集画面が表示される。このプロファイル登録編集画面により、プロファイルを新規に登録し、また、既に登録されたプロファイルの設定内容を編集することができる。
【００９４】
このプロファイル登録編集画面には、運動種目選択部５１と、プロファイル名入力部５２と、設定事項別入力部５３と、が設けられている。
【００９５】
運動種目選択部５１では、運動種目（ランニング、ヨガ、およびボルダリングなど）を選択する。プロファイル名入力部５２では、プロファイル名として、運動指導者の氏名などの適宜な名称を入力する。
【００９６】
設定事項別入力部５３では、照明状態を規定する各制御パラメータに関する設定事項（基調色、明るさ、および色温度）ごとに入力するものであり、基調色選択部５４と、明るさ入力部５５と、色温度入力部５６と、が設けられている。基調色選択部５４では、プルダウンメニューから基調色を選択する。明るさ入力部５５および色温度入力部５６では、スライダーの操作により明るさ（照度）および色温度を入力する。
【００９７】
ここで、基調色は、表色系のある範囲を予め定めるものであり、代表的なサンプル色が基調色選択部５４にプルダウンメニューで表示される。この基調色選択部５４で基調色が選択されると、その選択した基調色に対応した明るさおよび色温度の範囲内で所望の明るさおよび色温度に調整する操作が明るさ入力部５５および色温度入力部５６で行われる。
【００９８】
ここで、プロファイルを新規に登録する場合には、プロファイル名入力部５２に新しいプロファイル名を入力し、設定事項別入力部５３で所要の入力操作を行った上で登録のボタン５７を操作すると、入力した設定内容のプロファイルが新規に登録される。また、既存のプロファイルを編集する場合には、プロファイル名入力部５２のプルダウンメニューからプロファイルを選択すればよく、選択されたプロファイルの現在の設定内容が設定事項別入力部５３に表示され、この設定事項別入力部５３で所要の入力操作を行った上で登録のボタン５７を操作すると、変更した設定内容にプロファイルが更新される。
【００９９】
次に、制御スケジュールの設定状況の確認について説明する。図６は、ユーザ端末５や管理者端末６に表示される制御スケジュール確認画面を示す説明図である。
【０１００】
本実施形態では、管理画面（図４参照）において運動エリアおよび景観エリアの照明制御に関する制御スケジュールが個別に設定され、この運動エリアおよび景観エリアの制御スケジュールの設定状況が、図６に示す制御スケジュール確認画面に一覧表示され、この制御スケジュール確認画面により、運動エリアおよび景観エリアの各エリアにおいて時間帯に応じてどのような照明制御が行われているかを確認することができる。
【０１０１】
制御スケジュール確認画面は、制御スケジュールの設定状況を一覧表示するものであり、この制御スケジュール確認画面には、施設選択部６１と、日付表示部６２と、日付設定のボタン６３と、第１の制御スケジュール表示部６４と、第２の制御スケジュール表示部６５と、が設けられている。
【０１０２】
施設選択部６１では、プルダウンメニューにより対象とする施設を運動指導者や施設管理者が選択する。日付表示部６２には日付が表示される。日付設定のボタン６３は、運動指導者や施設管理者が日付を設定するものであり、この日付設定のボタン６３を操作すると、図示しない日付選択画面が表示され、この日付選択画面で日付を選択すると、選択された日付が日付表示部６２に表示される。
【０１０３】
第１の制御スケジュール表示部６４は、運動エリアの制御スケジュールを表示するものであり、この第１の制御スケジュール表示部６４には、運動種目（ランニング、ヨガ、およびボルダリングなど）ごとに、照明制御期間を表すバー６７と、照明状態を表す文字（基本の設定モード、プロファイルの設定モードでのプロファイル名、オプション照明の設定モード（ＯＰ）など）と、が表示される。バー６７では、その表示形態（図に示す例では塗り潰し色）を変えることで、照明状態の違いが表示されている。
【０１０４】
第２の制御スケジュール表示部６５は、景観エリアの制御スケジュールを表示するものであり、この第２の制御スケジュール表示部６５には、第１の制御スケジュール表示部６４と同様に、照明制御期間を表すバー６７と、照明状態を表す文字（変動および固定の制御タイプなど）と、が表示され、バー６７では、その表示形態を変えることで、照明状態の違いが表示されている。
【０１０５】
また、この制御スケジュール確認画面では、制御スケジュール表示部６４，６５に表示されたバー６７を選択する操作（クリック等）を行うと、図４に示した管理画面が表示される。このとき、管理画面には、制御スケジュール確認画面で選択したバー６７に対応する時間帯の設定内容が表示され、ここで設定内容を変更する操作を行うことができる。
【０１０６】
次に、図３に示した照明制御部２６で行われる処理について説明する。図７は、照明制御部２６で行われる処理の手順を示すフロー図である。
【０１０７】
本実施形態では、照明制御部２６において、照明制御条件記憶部２５から各照明エリア（運動エリアおよび景観エリア）に関する制御スケジュールおよび照明状態を規定する制御パラメータを取得して、制御パラメータに基づく照明制御が制御スケジュールにしたがって照明エリアごとに行われる。
【０１０８】
具体的には、まず、照明制御条件記憶部２５から各照明エリア（運動エリアおよび景観エリア）の制御スケジュールを読み込み（ＳＴ１０１）、この制御スケジュールにしたがって各照明エリアの照明灯１，２の制御を開始する（ＳＴ１０２）。
【０１０９】
ここで、対象とする照明エリアの制御スケジュールで設定された時間帯であれば（ＳＴ１０３でＹｅｓ）、その照明エリアの制御パラメータを取得し（ＳＴ１０４）、その照明エリアの照明灯１，２を点灯させて制御パラメータに基づく制御を行う（ＳＴ１０５）。一方、対象とする照明エリアの制御スケジュールで設定された時間帯でなければ（ＳＴ１０３でＮｏ）、その照明エリアの照明灯１，２を消灯させる（ＳＴ１０６）。
【０１１０】
以上の制御が全ての照明エリア（運動エリアおよび景観エリア）について実施され（ＳＴ１０７）、この照明エリアごとの制御が１日の制御が終了するまで定期的に繰り返される（ＳＴ１０８）。
【０１１１】
以上のように本実施形態では、環境情報取得部２１において、運動施設内に配置された環境センサから環境情報を取得し、照明制御条件記憶部２５において、運動施設内において利用者が運動を行う運動エリアを照明する第１の照明灯１、および運動施設内において運動エリア外の景観エリアを照明する第２の照明灯２の各々の照明状態およびその制御スケジュールに関する照明制御条件を記憶し、照明制御部２６において、照明制御条件記憶部２５に記憶された第１、第２の照明灯１，２の各々に関する照明制御条件、および環境情報取得部２１で取得した環境情報に基づき、第１、第２の照明灯１，２を制御するものとした。これにより、利用者が運動を行う運動エリアでは、運動を安全に行うとともに運動種目に適した運動空間が得られるように照明を制御し、また、利用者が自然景観を味わう景観エリアでは、樹木や池などによる自然景観が映える演出効果が得られるように照明を制御することで、夜間の屋外運動施設において利用者が運動を行う際に潜在的な感性で感じる爽快感や楽しさを十分に高めて、利用者に大きな満足感を与える運動環境を実現することができる。
【０１１２】
また、本実施形態では、照明制御条件設定部２４において、ユーザ端末５での利用者の操作入力に応じて、第１の照明灯１に関する照明制御条件を設定して照明制御条件記憶部２５に記憶させるようにしたため、第１の照明灯１の照明状態および制御スケジュールを、利用者、特に各運動種目の指導者が任意に設定することができるため、運動エリアに利用者の好みに応じた運動空間を形成することができる。
【０１１３】
また、本実施形態では、環境情報取得部２１において、環境情報として、照度、色温度、気温、気圧、湿度、天候、風速、および風向のうちの少なくとも１つを取得するようにしており、照度、色温度、気温、気圧、湿度、天候、風速、および風向に基づいて照明制御が行われるため、より一層快適な運動環境を実現することができる。
【０１１４】
また、本実施形態では、環境情報取得部２１において、環境情報として、景観エリアの照度および色温度を取得し、照明制御部２６において、環境情報取得部２１により取得した照度および色温度に基づき、景観エリアに所定の月明かりの夜が再現されるように、第２の照明灯の光量および色温度を制御する調光制御および調色制御を行うようにしたため、月齢や天候に関係なく、景観エリアに所定の月明かりの夜を再現されるため、利用者が景観エリアを見ることで感じる爽快感をより一層高めることができる。
【０１１５】
また、本実施形態では、照明制御条件が、制御スケジュールにより、夜間の照明必要期間に応じた点灯および消灯のタイミングを規定するとともに、照明必要期間内の時間帯に応じた照明状態を規定するものとしたため、適切なタイミングで照明灯１，２を点灯・消灯させることができ、さらに、時間帯に応じて照明状態を変化させることができるため、より一層適切な運動環境を実現することができる。
【０１１６】
また、本実施形態では、利用者情報取得部２２において、利用者情報として、利用者の位置、身体状態、および人数のうちの少なくとも１つを取得し、照明制御部２６において、利用者情報取得部２２で取得した利用者情報に基づき、第１の照明灯１を制御するようにしており、利用者が運動を行う運動エリアにおいて、利用者の位置、身体状態、および人数に関する利用者情報に基づいて制御が行われるため、より一層快適な運動環境を実現することができる。
【０１１７】
また、本実施形態では、利用者情報取得部２２において、運動エリアにおける利用者の位置情報を取得し、照明制御部２６において、利用者情報取得部２２により取得した位置情報に基づき、利用者の運動を支援するための照明を行う走行ガイド灯（第３の照明灯）８を制御するようにしており、これにより、利用者の運動を支援することができるため、利用者の利便性を高めることができる。
【０１１８】
また、本実施形態では、第１、第２の照明灯１，２が、光量および色温度を調整可能な光源を備えているため、運動エリアおよび景観エリアの照度および色温度を適切に調整して、より一層適切な運動環境を実現することができ、また、第１、第２の照明灯１，２が、無線ネットワークを介して通信を行うインターフェースを備えているため、通信線の設置が不要となり、設置コストを削減することができる。特に光源をＬＥＤからなるものとすると、電力消費量を抑えて省エネルギーを図ることができる。
【０１１９】
以上、本発明を特定の実施形態に基づいて説明したが、これらの実施形態はあくまでも例示であって、本発明はこれらの実施形態によって限定されるものではない。また、上記実施形態に示した本発明に係る運動施設管理装置、運動施設管理システムおよび運動施設管理方法の各構成要素は、必ずしも全てが必須ではなく、少なくとも本発明の範囲を逸脱しない限りにおいて適宜取捨選択することが可能である。
【０１２０】
例えば、前記の実施形態では、屋外の運動施設の一例としてスポーツ公園について説明したが、本発明はこのようなスポーツ公園に限定されるものではなく、河川敷や山林に照明灯を整備して、夜間に運動を楽しむことができるようにしたものであってもよい。また、本発明における運動は、ランニングのような典型的なスポーツに限定されるものではなく、健康増進や娯楽のために身体を動かすこと、例えば散歩やウォーキングなども含む。
【０１２１】
また、前記の実施形態では、図４，図６に示したように、景観エリアの照明を一律に制御するようにしたが、複数の景観エリアを設定して、この複数の景観エリアの照明を別々に制御するようにしてもよい。
【０１２２】
また、前記の実施形態では、運動施設管理に必要な処理を、クラウドコンピュータ４に行わせるようにしたが、この必要な処理を、公園の管理事務所や管理センターに設置されたＰＣに行わせるようにしてもよい。また、必要な処理を複数の情報処理装置で分担し、ＷＡＮやＬＡＮなどの適宜な通信媒体を介して、複数の情報処理装置の間で情報を受け渡すようにしてもよい。この場合、必要な処理を分担する複数の情報処理装置で運動施設管理システムが構成される。
【０１２３】
なお、照明制御では、照明制御条件に従った制御が、運動エリアおよび景観エリアをそれぞれ照明する第１、第２の照明灯の双方を対象にして行われることが望ましいが、環境情報に基づく制御は、第１、第２の照明灯のいずれか一方のみでもよく、例えば、景観エリアを照明する第２の照明灯のみを対象にして、環境情報に基づく制御を行うようにしてもよい。
【産業上の利用可能性】
【０１２４】
本発明に係る運動施設管理装置、運動施設管理システムおよび運動施設管理方法は、夜間の屋外運動施設において利用者が運動を行う際に潜在的な感性で感じる爽快感や楽しさを十分に高めて、利用者に大きな満足感を与える運動環境を実現することができる効果を有し、屋外の運動施設内に配置された複数の照明灯をネットワークを介して制御して、運動施設内に運動に適した環境を構築する運動施設管理装置、運動施設管理システムおよび運動施設管理方法などとして有用である。
【符号の説明】
【０１２５】
１  第１の照明灯
２  第２の照明灯
３  環境センサ
４  クラウドコンピュータ（運動施設管理装置）
５  管理者端末
６  ユーザ端末
７  ウェアラブル端末
８  走行ガイド灯（第３の照明灯）
２１  環境情報取得部
２２  利用者情報取得部
２３  入出力制御部
２４  照明制御条件設定部
２５  照明制御条件記憶部
２６  照明制御部
【図１】
2016146267.tif 000003
【図２】
2016146267.tif 000004
【図３】
2016146267.tif 000005
【図４】
2016146267.tif 000006
【図５】
2016146267.tif 000007
【図６】
2016146267.tif 000008
【図７】
2016146267.tif 000009